(57)【特許請求の範囲】
【請求項１】
制御信号およびデータが入力されるデータ入力手段と、
前記データ入力手段を通じて制御プログラムと動作に必要なデータが入力されてローディングされ、製品の状態を検査するための動作を実行する信号処理手段と、
検査製品の状態を撮影して得られる映像データを前記信号処理手段に入力するイメージ感知手段とを備え、
前記信号処理手段は、
前記データ入力手段１を通じて入力されるデータが一時蓄積される第１バッファ部１１と、
前記第１バッファ部１１と連結され、データを入／出力する第２バッファ部１２と、
前記第１バッファ部１１と連結され、検査結果に従ってデータ値が変化して記憶されるフラグメモリ１３と、
前記第１バッファ部１１と連結され、動作に必要な制御命令が記憶されているコントロールレジスタ１４と、
前記第２バッファ１２とフラグメモリ１３とコントロールレジスタ１４に連結され、システムの基本入／出力動作に必要なデータが記憶されているシステムメモリ１５とを備えた制御信号処理手段を有するとともに、
前記イメージ感知手段から入力される映像信号を一時蓄積する第３バッファ部３１と、
前記第３バッファ部３１を通じる映像信号から必要なデータを抽出するハードウェア制御部３２と、
前記ハードウェア制御部３２の動作によって発生するデータを記憶して必要に従って入／出力できるようにするデータメモリ３３と、
動作制御部２０とデータメモリ３３の間に連結され、入力されるデータを一時蓄積する第４バッファ部３４と、
前記動作制御部２０と第３バッファ３１の間に連結され、入力される映像データを記憶するイメージメモリ３５とを備えた映像信号処理手段を有し、
前記動作制御部２０は、前記データ入力手段を通じて入力される制御プログラムとデータが記憶され、記憶される制御プログラムの動作によって製品の検査動作を制御してなる
ことを特徴とする液晶表示装置パネルの検査のための映像処理システム。
【発明の詳細な説明】
【０００１】
【発明の属する技術分野】
この発明は、液晶表示装置のパネルを自動検査するための映像システムにおいてデータだけの変更で多様な液晶表示装置のパネルを検査できるようにする液晶表示装置パネルの検査のための映像処理システムに関するものである。
【０００２】
【従来の技術】
一般的に一つの製品が量産化されると、正常状態で製造工程が動作するか、または量産される製品の性能が正常状態であるかを検査する段階が必要である。
ここに量産される製品の性能を試験するためには予め設定される動作に関し、別途の検査装備を用いて実行させる。
従って、製品の動作状態とか、出力信号の状態を検査して該当製品の動作性能を試験する。
【０００３】
更に、量産される製品の状態をチェックするためには、量産製品の状態と基準製品の状態を互いに比べて外形的な製品の状態をチェックする。
【０００４】
従って、従来の検査方法は別途の光学装置を用いて検査者の視覚を通じて量産される製品の状態を検査して不良品を選別する。しかし、前記のような受動的な検査方法で検査する場合、大きな労働力と時間が要求され、受動検査の誤判断によって不良品の発生頻度が高くなる問題が発生する。
また、視覚的な形状のみを検査するので、実際の正常動作の可否が検査できない問題もある。
【０００５】
前記問題を解決するために、別途の検査装置を用いて液晶表示装置などの量産される製品の状態を検査する場合、検査品を撮影できる検査カメラと基準良品を撮影できる基準カメラを用いて検査品と基準良品を夫々撮影する。
【０００６】
検査カメラと基準カメラの撮影動作によって得られる映像データを制御装置の動作を通じて互いに比べて得られる二つのデータが違う場合、製品の状態が基準良品と違うとき、不良品として処理する。
【０００７】
前記のように量産される液晶表示装置などの製品を検査するための検査システムに入力されるデータを処理する場合、従来では検査システムは一つの種類の検査製品しか検査できないように設計されていた。
【０００８】
従って、入力される映像信号を処理するための装置がＴＴＬ(Transistor Transistor Logic)などのハードウェアで具現されているので、検査製品の種類および検査項目が変更されるたびに新たな制御装置に交換したり、変更される検査項目に従って制御装置を再設計すべき問題が発生する。これによって多くの経費と時間が要求される。
【０００９】
【発明が解決しようとする課題】
本発明の目的は、前記問題点を解決するためであり、入力映像を処理して製品を検査する場合、全ての処理ハードウェア動作をソフトウェアで制御して必要な場合、データのみを変更して使用できる液晶表示装置パネルの検査のための映像処理システムを提供することである。
【００１０】
【課題を解決するための手段】
上記目的を達成するための、本発明の特徴構成は、制御信号およびデータが入力されるデータ入力手段と、前記データ入力手段を通じて制御プログラムと動作に必要なデータが入力されてローディングされ、製品の状態を検査するための動作を実行する信号処理手段と、検査製品の状態を撮影して得られる映像データを前記信号処理手段に入力するイメージ感知手段とを備えていることである。この構成によると、イメージ感知手段を通じて入力される液晶表示装置パネルの映像データを処理し、液晶表示装置パネルの良否を判断する場合の検査動作に必要なデータおよび制御プログラムは予め信号処理手段に記憶されている。従って、予め制御しようとする制御動作のプログラムとそれに従う必要なデータのみを用いて動作が実行できるので、検査対象および検査項目が変更される際には該当するデータおよび制御プログラムのみを変更すればすむ。その結果、制御動作および制御項目が変更されるたびに制御装置を再設計すべき不便が防止できる。また、新たなハードウェアの設計に従って発生する経費及び時間などを最少限にすることができる。
【００１１】
【発明の実施の形態】
本発明の好ましい実施形態を説明する。
図１を参照してこの発明の構成をみると、使用者によって制御信号が入力されるデータ入力部１と、前記データ入力部１を通じて入力される制御信号とデータによって、ローディングされている制御プログラムが動作される信号処理部２と、前記信号処理部２で検査しようとする映像信号が入力されるイメージセンサ部３とからなる。
【００１２】
前記信号処理部２は、データ入力部１を通じて入力されるデータが一時蓄積される第１バッファ部１１と、前記第１バッファ部１１と連結されてデータを入／出力する第２バッファ部１２と、第１バッファ部１１と連結されているフラグメモリ１３と、前記第１バッファ部１１と連結されているコントロールレジスタ１４と、前記第２バッファ１２とフラグメモリ１３とコントロールレジスタ１４に連結されているシステムメモリ１５からなる制御信号処理部１０と、
前記制御信号処理部１０に連結されており、制御プログラムがローディングされて夫々の装置に印加される制御信号およびデータに従って該当制御動作を実行する動作制御部２０と、
前記イメージセンサ部３から入力される映像信号を一時蓄積する第３バッファ部３１と、前記第３バッファ部３１を通じる映像信号から必要なデータを抽出するハードウェア制御部３２と、前記ハードウェア制御部３２の動作によって発生するデータを記憶して必要に従って入／出力できるようにするデータメモリ３３と、前記動作制御部２０とデータメモリ３３の間に連結され、入力されるデータを一時蓄積する第４バッファ部３４と、動作制御部２０と第３バッファ３１の間に連結され、入力される映像データを記憶するイメージメモリ３５とからなる映像信号制御部３０となる。
【００１３】
前記説明した、この実施形態の動作は次の通りである。まず、使用者はデータシステムの動作を制御するための該当制御信号をデータ入力部１を通じて信号処理部２の制御信号処理部１０に入力する。そして、イメージセンサ部３においては検査のため移送される液晶表示装置パネルの状態を撮影し、発生する映像データが利用できる状態に変換されたのち、信号処理部２の映像信号制御部３０に入力される。
【００１４】
前記のように検査する液晶表示装置パネルの形状を映像データで出力するイメージセンサ部３は、映像データを電気的な信号に処理する固体撮像素子ＣＣＤなどを用いて実現できる。
【００１５】
前記のように夫々のシステムの動作に必要な信号が入力されると、該当する制御信号を実行する。
従って、データ入力部１を通じて使用者によって信号処理部２の動作制御部２０にデジタル信号を処理するためのプログラムをローディングしたのち、信号処理部２はイメージセンサ部３を通じて利用できるデジタル信号に変換される映像データを第３バッファ部３１を経てイメージメモリ３５に記憶する。
【００１６】
前記動作によって発生する映像データがイメージメモリ３５に記憶されると共に動作制御部２０の動作により、必要なデータのみ抽出されてデータメモリ３３に記憶され、ハードウェア制御部３２の動作のうち、必要なデータを判読し、記憶できるようにする。
【００１７】
前記ハードウェア制御部３２は映像データを処理するための高集積ハードウェアに設計される。従って、信号処理部２の動作設計部２０はデータ入力部１に入力されて制御信号入力部１０の第１バッファ部１１を経て印加される制御信号の動作とイメージセンサ部３を通じてデータメモリ３３に記憶されている特定情報とイメージメモリ３５を通じて夫々入力される映像データを用いて検査動作を実行する。
【００１８】
前記動作制御部２０の検査動作はコントロールレジスタ１４に記憶されている制御命令に従ってイメージセンサ部３を通じて入力される映像データとデータメモリ３３に記憶されている加工される映像データを分析判断する。
従って、入力される映像データと加工される映像データを用いて検査製品に該当する映像データの状態に従って検査製品の良否を動作制御部２０は判断する。
【００１９】
前記のような動作原理を通じ、制御信号に従って映像データが処理されると動作制御部２０は制御動作の結果をフラグメモリ１３に記憶する。
従って、フラグメモリ１３の状態が第１バッファ部１１を通じてデータ入力部１に出力され、フラグメモリ１３の状態に該当する検査結果を使用者はデータ入力部１を通じて出力されるデータの状態に従って出力状態が変化する図示されない情報出力装置を用いて判定する。
【００２０】
前記システムメモリ１５はシステムの動作に必要な基本データおよび情報が記憶され、システムの基本入／出力動作を実現できるようにする。
【００２１】
前記イメージセンサ部３を通じて入力される映像データを処理し、液晶表示装置パネルの良否を判断する場合の検査動作に必要なデータおよび制御プログラムは予め動作制御部２０とか、他のメモリ装置に記憶されている。従って、予め制御しようとする制御動作のプログラムとそれに従う必要なデータのみを用いて動作が実行できるので、検査対象および検査項目が変更される際には該当するデータおよび制御プログラムのみを変更すればすむ。従って、該当する制御装置を交換したり、外部入力手段を通じて記憶されている内容の変更だけでも実現できる。
【００２２】
本発明の効果は、制御動作および制御項目が変更されるたびに制御装置を再設計すべき不便が防止できることである。また、新たなハードウェアの設計に従って発生する経費及び時間などを最少限にすることができる。
【図面の簡単な説明】
【図１】本発明の実施形態に従う液晶表示装置パネルの検査のための映像処理システムのブロック図
【符合の説明】
１    データ入力部
２    信号処理部
３    イメージセンサ部
１０  制御信号処理部
１１  第１バッファ部
１２  第２バッファ部
１３  フラグメモリ
１４  コントロールレジスタ
１５  システムメモリ
２０  動作制御部
３０  映像信号制御部
３１  第３バッファ部
３２  ハードウェア制御部
３３  データメモリ
３４  第４バッファ部
３５  イメージメモリ
【図１】
0004122072.tif 000002